(57)【要約】本発明は、シートや親骨が外部に露出しないで、コンパクトに収納でき、携帯及び保管が容易な携帯可能なコンパクト傘に関し、本発明による携帯可能なコンパクト傘は、一側には遮蔽手段、他側には固定突起が具備され、伸ばしたり、縮めたりすることで長さを可変できる伸縮支柱と、両端部が連通されて内部に収納空間が形成され、前記収納空間は円筒状の巻き部によって区画され、前記巻き部の内側には前記伸縮支柱を縮めて収納する内部空間が形成され、前記巻き部の外側には前記遮蔽手段を巻いて収納する外部空間が形成される手元部材と、を含むことを特徴とする。  【選択図】図３
2010517615.tif 000002
【特許請求の範囲】
【請求項１】
一側には遮蔽手段、他側には固定突起が具備され、伸ばしたり、縮めたりすることで長さを可変できる伸縮支柱と、
両端部が連通されて内部に収納空間が形成され、前記収納空間は円筒状の巻き部によって区画され、前記巻き部の内側には前記伸縮支柱を縮めて収納する内部空間が形成され、前記巻き部の外側には前記遮蔽手段を巻いて収納する外部空間が形成される手元部材と、を含むことを特徴とする携帯可能なコンパクト傘。
【請求項２】
前記巻き部の外周縁には、前記遮蔽手段を巻くことができるように、螺旋状のねじ孔及びねじ突起が相互に離隔されて形成されることを特徴とする請求項１記載の携帯可能なコンパクト傘。
【請求項３】
前記遮蔽手段は、
前記伸縮支柱の上端部に設置される支持部材と、
前記支持部材に設置される遮蔽シートと、
複数が前記遮蔽シートの背面から前記遮蔽シートを一定間隔で支持し、一端部が前記支持部材に放射状に結合されるフレキシブル親骨と、を含むことを特徴とする請求項１記載の携帯可能なコンパクト傘。
【請求項４】
前記伸縮支柱の上端部には、少なくとも１段以上のリンク部材が具備されて、前記リンク部材を通じて支持部材と連結されることを特徴とする請求項３記載の携帯可能なコンパクト傘。
【請求項５】
前記親骨は、前記支持部材に形成される第１設置ホームで回動可能に設置されることを特徴とする請求項３記載の携帯可能なコンパクト傘。
【請求項６】
前記支持部材の外径は、前記巻き部の内径より大きいことを特徴とする請求項３記載の携帯可能なコンパクト傘。
【請求項７】
前記伸縮支柱の外周面に沿って昇降され、前記伸縮支柱のある地点に固定、又は解除可能に具備されるリング状の昇降部材と、
一端部が前記昇降部材に放射状で設置され、他端部が前記親骨に設置されて、前記親骨に沿ってスライディングする受骨と、を更に含むことを特徴とする請求項３記載の携帯可能なコンパクト傘。
【請求項８】
前記受骨の他端部には、前記親骨が挿入されるリングが形成されて、前記リングによって受骨が親骨から分離することを防止することを特徴とする請求項７記載の携帯可能なコンパクト傘。
【請求項９】
前記受骨は、前記昇降部材に形成される第２設置ホームで回動可能に設置されることを特徴とする請求項７記載の携帯可能なコンパクト傘。
【請求項１０】
前記昇降部材の外径は、前記巻き部の内径より小さいことを特徴とする請求項７記載の携帯可能なコンパクト傘。
【請求項１１】
前記手元部材は、
両端部が連通され、一側の開口部をカバーする上部カバーが具備されるケースと、前記ケースの他側の開口部にねじ結合される下部カバーと、が具備され、
前記下部カバーの一端部に、前記巻き部が一体に形成され、
前記下部カバーの他端部に、前記伸縮支柱の固定突起がねじ結合される固定ホームが形成されることを特徴とする請求項１記載の携帯可能なコンパクト傘。
【請求項１２】
伸ばしたり、縮めたりすることで長さを可変できる外部支柱と、
前記外部支柱内で伸ばしたり、縮めたりすることで長さを可変できる伸縮支柱と、
前記伸縮支柱の上端部に設置される支持部材と、
前記支持部材に設置される遮蔽シートと、
複数が前記遮蔽シートの背面から前記遮蔽シートを一定間隔で支持し、一端部が前記支持部材に放射状に結合されるフレキシブル親骨と、
前記支持部材に設置されて前記親骨が広げたり、集めたりするように調整する調整部材と、
前記外部支柱の上端部に設置されて、前記外部支柱を縮めるときに、前記外部支柱を加圧し、前記支持部材に連結される前記遮蔽シートと前記親骨が通過できるように第１貫通孔が形成された加圧部材と、
両端部が連通されて内部に収納空間が形成され、前記収納空間は区画部によって上部空間と下部空間に区画されて、前記下部空間は円筒状の巻き部によって区画され、前記上部空間には前記外部支柱を縮めて収納でき、前記巻き部の内側には前記伸縮支柱を縮めて収納できる内部空間が形成され、前記巻き部の外側には前記支柱及び遮蔽シートを巻いて収納できる外部空間が形成される手元部材と、
前記手元部材の上端部に設置されて、前記加圧部材を固定したり、固定を解除したりする掛け装置と、
前記外部支柱の内に設置されて、前記外部支柱を前記手元部材の外側に弾くような弾性力を提供するスプリング部材と、を含むことを特徴とする携帯可能なコンパクト傘。
【請求項１３】
前記巻き部の外周縁には、前記親骨及び遮蔽シートを巻くことができるように、螺旋状のねじ孔及びねじ突起が相互に離隔されて形成されることを特徴とする請求項１２記載の携帯可能なコンパクト傘。
【請求項１４】
前記親骨の他端部は、前記親骨の断面積より広く形成され、前記外部支柱を縮めるときに、前記加圧部材の前記第１貫通孔に引っ掛かって、前記加圧部材の上部に突出される掛け突起が具備されることを特徴とする請求項１２記載の携帯可能なコンパクト傘。
【請求項１５】
前記手元部材は、
両端部が連通され、一側の開口部をカバーする上部カバーが具備されるケースと、前記ケースの他側の開口部にねじ結合される下部カバーと、が具備され、
前記下部カバーの一端部に、前記巻き部が一体に形成され、
前記下部カバーの他端部に、前記伸縮支柱の固定突起がねじ結合される固定ホームが形成されることを特徴とする請求項１２記載の携帯可能なコンパクト傘。
【請求項１６】
前記手元部材の上部空間には、前記区画部から一体に延長されて前記スプリング部材を収容すると同時に、前記伸縮支柱、支持部材及び調整部材が通過できるように、第２貫通孔が形成された収容部が具備されることを特徴とする請求項１２記載の携帯可能なコンパクト傘。
【請求項１７】
前記調整部材は、
前記支持部材の外周縁にねじ結合されて昇降可能に設置され、前記親骨を収容できるように前記親骨と対応する位置に下部ホームが形成される下部調整部材と、
前記支持部材の外周縁にねじ結合されて昇降可能に設置され、前記親骨が上部方向で集まるときに、前記親骨ができるように前記親骨と対応する位置に上部ホームが形成される上部調整部材と、を含んで構成されることを特徴とする請求項１２記載の携帯可能なコンパクト傘。
【請求項１８】
前記伸縮支柱の上端部には、少なくとも１段以上のリンク部材が具備されて、前記リンク部材を通じて支持部材と連結されることを特徴とする請求項１２記載の携帯可能なコンパクト傘。
【請求項１９】
前記掛け装置は、
前記加圧部材の上面を押して保持するボール部と、
前記ボール部を前記支持部材の方向に押すスプリングと、
前記ボール部を後退させるために前記ボール部と連結された調整部と、を含むことを特徴とする請求項１２記載の携帯可能なコンパクト傘。
【発明の詳細な説明】
【技術分野】
【０００１】
本発明は、携帯可能なコンパクト傘に関し、より詳しくは、シートや親骨が外部に露出しないで、コンパクトに収納でき、携帯及び保管が容易な携帯可能なコンパクト傘に関する。
【背景技術】
【０００２】
一般的に傘は、図１に示すように、手で握るための手元１と、この手元１の上部に延長される支柱２と、この支柱２の上部に放射状で設置され、傘の形態を維持するための金属材の親骨３と、このと親骨３を広げたり畳んだりするための受骨（図示せず）と、前記親骨３に固設され、雨や雪を遮断できる防水シート４と、この防水シート４が親骨３から離脱するのを防止するための石突５と、を含んで構成される。
【０００３】
前述のように構成された傘は、傘を使うときには、手元１を取って防水シート４を広げて使う。一方、傘を畳むときには、手元を取って、手元１の方向に引いて畳んで保管する。
【０００４】
従来の傘は、携帯や保管のために防水シート４を畳んで支柱に密着させるか、前記支柱２と防水シート４を折り畳んで小さくする。
【０００５】
しかし、従来の傘は、折り畳むにしてもある程度の限界があり、特に携帯するにしてもボリュームがあって不便であった。
【０００６】
また、雨天のとき、傘を使った後に畳んで携帯する場合、携帯のために傘を畳むと、雨にぬれている防水シートがそのまま外側に露出されるので不便である。だから、別途の傘袋を持参しなければならない問題がある。
【発明の概要】
【発明が解決しようとする課題】
【０００７】
本発明の目的は、前述した問題を鑑みてなされたものであり、防水シートや親骨を外側に露出しないで、コンパクトに収納可能であり、携帯及び保管が簡単にできる携帯可能なコンパクト傘を提供することにある。
【課題を解決するための手段】
【０００８】
前記の目的を果たすための本発明による携帯可能なコンパクト傘は、一側には遮蔽手段、他側には固定突起が具備され、伸ばしたり、縮めたりすることで長さを可変できる伸縮支柱と、両端部が連通されて内部に収納空間が形成され、前記収納空間は円筒状の巻き部によって区画され、前記巻き部の内側には前記伸縮支柱を縮めて収納する内部空間が形成され、前記巻き部の外側には前記遮蔽手段を巻いて収納する外部空間が形成される手元部材と、を含む。
【０００９】
前記巻き部の外周縁には、前記遮蔽手段を巻くことができるように、螺旋状のねじ孔及びねじ突起が相互に離隔されて形成されることが望ましい。
【００１０】
前記遮蔽手段は、前記伸縮支柱の上端部に設置される支持部材と、前記支持部材に設置される遮蔽シートと、複数が前記遮蔽シートの背面から前記遮蔽シートを一定間隔で支持し、一端部が前記支持部材に放射状に結合されるフレキシブル親骨と、を含むことが望ましい。
【００１１】
前記伸縮支柱の上端部には、少なくとも１段以上のリンク部材が具備されて、前記リンク部材を通じて支持部材と連結されることが望ましい。
【００１２】
前記親骨は、前記支持部材に形成される第１設置ホームで回動可能に設置されることが望ましい。
【００１３】
前記支持部材の外径は、前記巻き部の内径より大きいことが望ましい。
【００１４】
前記伸縮支柱の外周面に沿って昇降され、前記伸縮支柱のある地点に固定、又は解除可能に具備されるリング状の昇降部材と、一端部が前記昇降部材に放射状で設置され、他端部が前記親骨に設置されて、前記親骨に沿ってスライディングする受骨と、を更に含むことが望ましい。
【００１５】
前記受骨の他端部には、前記親骨が挿入されるリングが形成されて、前記リングによって受骨が親骨から分離することを防止することが望ましい。
【００１６】
前記受骨は、前記昇降部材に形成される第２設置ホームで回動可能に設置されることが望ましい。
【００１７】
前記昇降部材の外径は、前記巻き部の内径より小さいことが望ましい。
【００１８】
前記手元部材は、両端部が連通され、一側の開口部をカバーする上部カバーが具備されるケースと、前記ケースの他側の開口部にねじ結合される下部カバーと、が具備され、前記下部カバーの一端部に、前記巻き部が一体に形成され、前記下部カバーの他端部に、前記伸縮支柱の固定突起がねじ結合される固定ホームが形成されることが望ましい。
【００１９】
本発明の他の実施の形態による携帯可能なコンパクト傘は、伸ばしたり、縮めたりすることで長さを可変できる外部支柱と、前記外部支柱内で伸ばしたり、縮めたりすることで長さを可変できる伸縮支柱と、前記伸縮支柱の上端部に設置される支持部材と、前記支持部材に設置される遮蔽シートと、複数が前記遮蔽シートの背面から前記遮蔽シートを一定間隔で支持し、一端部が前記支持部材に放射状に結合されるフレキシブル親骨と、前記支持部材に設置されて前記親骨が広げたり、集めたりするように調整する調整部材と、前記外部支柱の上端部に設置されて、前記外部支柱を縮めるときに、前記外部支柱を加圧し、前記支持部材に連結される前記遮蔽シートと前記親骨が通過できるように第１貫通孔が形成された加圧部材と、両端部が連通されて内部に収納空間が形成され、前記収納空間は区画部によって上部空間と下部空間に区画されて、前記下部空間は円筒状の巻き部によって区画され、前記上部空間には前記外部支柱を縮めて収納でき、前記巻き部の内側には前記伸縮支柱を縮めて収納できる内部空間が形成され、前記巻き部の外側には前記支柱及び遮蔽シートを巻いて収納できる外部空間が形成される手元部材と、前記手元部材の上端部に設置されて、前記加圧部材を固定したり、固定を解除したりする掛け装置と、前記外部支柱の内に設置されて、前記外部支柱を前記手元部材の外側に弾くような弾性力を提供するスプリング部材と、を含む。
【００２０】
前記巻き部の外周縁には、前記親骨及び遮蔽シートを巻くことができるように、螺旋状のねじ孔及びねじ突起が相互に離隔されて形成されることが望ましい。
【００２１】
前記親骨の他端部は、前記親骨の断面積より広く形成され、前記外部支柱を縮めるときに、前記加圧部材の前記第１貫通孔に引っ掛かって、前記加圧部材の上部に突出される掛け突起を具備することが望ましい。
【００２２】
前記手元部材は、両端部が連通され、一側の開口部をカバーする上部カバーが具備されるケースと、前記ケースの他側の開口部にねじ結合される下部カバーと、が具備され、前記下部カバーの一端部に、前記巻き部が一体に形成され、前記下部カバーの他端部に、前記伸縮支柱の固定突起がねじ結合される固定ホームが形成されることが望ましい。
【００２３】
前記手元部材の上部空間には、前記区画部から一体に延長されて前記スプリング部材を収容すると同時に、前記伸縮支柱、支持部材及び調整部材が通過できるように、第２貫通孔が形成された収容部が具備されることが望ましい。
【００２４】
前記調整部材は、前記支持部材の外周縁にねじ結合されて昇降可能に設置され、前記親骨を収容できるように前記親骨と対応する位置に下部ホームが形成される下部調整部材と、前記支持部材の外周縁にねじ結合されて昇降可能に設置され、前記親骨が上部方向で集まるときに、前記親骨ができるように前記親骨と対応する位置に上部ホームが形成される上部調整部材と、を含んで構成されることが望ましい。
【００２５】
前記伸縮支柱の上端部には、少なくとも１段以上のリンク部材が具備されて、前記リンク部材を通じて支持部材と連結されることが望ましい。
【００２６】
前記掛け装置は、前記加圧部材の上面を押して保持するボール部と、前記ボール部を前記支持部材の方向に押すスプリングと、前記ボール部を後退させるために前記ボール部と連結された調整部と、を含むことが望ましい。
【００２７】
前記伸縮支柱の上端部には、少なくとも１段以上のリンク部材が具備されて、前記リンク部材を通じて支持部材と連結されることが望ましい。
【発明の効果】
【００２８】
本発明による傘は、遮蔽シート及び親骨などが外側に露出しないで、手元部材内部にコンパクトに収納できるので、携帯及び保管が容易である。
【００２９】
また、雨にぬれている傘の保管のときにも、遮蔽シートが手元部材の内部に収納されるので、傘の周りの物に雨水が付くことなく、安全に保管することができる。
【図面の簡単な説明】
【００３０】
【図１】は、一般的な傘を概略的に表す図面である。
【図２】は、本発明による携帯可能なコンパクト傘の外見を概略的に表す図面である。
【図３】は、本発明による携帯可能なコンパクト傘の構成を概略的に表す図面である。
【図４】は、本発明による携帯可能なコンパクト傘を表す分解斜視図である。
【図５】は、本発明による携帯可能なコンパクト傘の主要部を表す斜視図である。
【図６】は、本発明による携帯可能なコンパクト傘を表す概略的な断面図である。
【図７】は、本発明による携帯可能なコンパクト傘の保管のときの作動状態を表す状態図である。
【図８】は、本発明による携帯可能なコンパクト傘の保管のときの作動状態を表す状態図である。
【図９】は、本発明の他の実施の形態による携帯可能なコンパクト傘の外見を概略的に表す図面である。
【図１０】は、本発明の他の実施の形態による携帯可能なコンパクト傘の構成及び作動を表す断面図である。
【図１１】は、本発明の他の実施の形態による携帯可能なコンパクト傘の構成及び作動を表す断面図である。
【図１２】は、本発明の他の実施の形態の支持部材及び調整部材を表す分解斜視図である。
【図１３】は、図１２の作動を表す組み立て斜視図である。
【図１４】は、図１２の作動を表す組み立て斜視図である。
【図１５】は、本発明の他の実施の形態の遮蔽シートと親骨の結合状態を表す断面図である。
【発明を実施するための形態】
【００３１】
以下、本発明による携帯可能なコンパクト傘の望ましい実施の形態を、添付された図面を参照して詳しく説明する。しかし、本発明は、以下に開示される実施の形態に限定されることなく、多様な形態で実施されるものである。本実施の形態は、本発明の実施を完全にし、通常の知識を持った者に発明の範疇を知らせるためのものである。また、図面上の同一符号は、同じ要素を示している。
【００３２】
図２は、本発明による携帯可能なコンパクト傘の外見を概略的に表す図面であり、図３は、本発明による携帯可能なコンパクト傘の構成を概略的に表す図面であり、図４は、本発明による携帯可能なコンパクト傘を表す分解斜視図であり、図５は、本発明による携帯可能なコンパクト傘の主要部を表す斜視図であり、図６は、本発明による携帯可能なコンパクト傘を表す概略的な断面図である。
【００３３】
図面に示すように、本発明の一つの実施の形態による携帯可能なコンパクト傘は、伸縮支柱１００、遮蔽手段２００及び手元部材３００を含んで構成される。
【００３４】
伸縮支柱１００は、伸ばしたり縮めたりすることができるロッドアンテナのように、長さを可変できる手段であって、その一方には遮蔽手段２００が具備され、他方には固定突起１０１が具備される。
【００３５】
このような伸縮支柱１００は、多段に構成され、図面に示してないが、伸びた状態、又は縮めた状態において、その状態を維持するために、それぞれの接触部位に凸凹を形成することもできる。
【００３６】
前記固定突起１０１は、前記伸縮支柱１００を縮めるときに、使用者により扱われ、伸縮支柱１００を前記手元部材３００に固定させる手段として、前記伸縮支柱１００と一体に構成され、その外周縁の一部又は全体に螺旋状の溝を形成することが望ましい。本実施の形態では、使用者により扱われる領域には、螺旋状の溝は形成してない。もちろん、前記固定突起１０１は、前記手元部材３００に固定できるのであれば、前記の螺子結合方式に限定されることはない。
【００３７】
遮蔽手段２００は、前記伸縮支柱１００の上端部に設置される支持部材２１０と、前記支持部材２１０に設置される遮蔽シート２２０と、前記遮蔽シート２２０の背面から前記遮蔽シート２２０を一定間隔で支持する複数の親骨２３０と、を含む。
【００３８】
前記支持部材２１０は、円形のプレート形態で、前記親骨２３０が結合できるように、外周縁に沿って一定間隔で第１設置ホーム２１１が形成される。このとき、前記第１設置ホーム２１１は、前記親骨２３０を支持部材の上部方向に集めたり、支持部材２１０の外周縁方向に広げたりすることができるように、上部及び外周縁方向に開口される。また、前記親骨２３０は、前記第１設置ホーム２１１で、上部及び外周縁方向に回動できるようにヒンジ結合される。
【００３９】
このとき、前記第１設置ホーム２１１は、前記親骨２３０の数と対応する数に形成することが望ましい。
【００４０】
そして、前記支持部材２１０の外径は、後述する巻き部３３０の内径より大きく形成することが望ましい。そうすると、前記伸縮支柱１００を縮める場合、支持部材２１０が巻き部３３０の内部空間３１１ｂに入ることを防止する。
【００４１】
また、前記伸縮支柱１００と支持部材２１０との間には、少なくとも１段以上のリンク部材１４０が具備されて、前記伸縮支柱１００と支持部材２１０とを連結する。そうすると、前記支持部材２１０が、前記伸縮支柱１００上端部で、自由に回動できる。本実施の形態では、円滑な回動のために、リンク部材１４０を２段のリンクにして製造する。また、前記リンク部材１４０は、前記伸縮支柱１００の端部で、回動可能に設置できる。
【００４２】
前記遮蔽シート２２０は、雪、雨又は太陽を避けることができる手段であって、防水シートやビニールなどが使われる。前記親骨２３０と遮蔽シート２２０との固定及び支持方法は、多様に実施方法があり、テープによるテーピング（taping）接着、ポンディング（bonding）接着、又は熱（heating）接着など、さまざまな方法によって実施できる。
【００４３】
前記親骨２３０は、前記支持部材２１０に設置され、広げたり、集めたりする動作によって、前記遮蔽シート２２０を一体に広げたり、畳んだりする役目を担当し、遮蔽シート２２０を広げた状態を維持できる手段として、後述する巻き部３３０に巻かれるようにフレキシブルに構成するべく、このため、プラスチック射出で成形することが望ましい。また、前記親骨２３０の端部には、掛け突起２３１が形成される。このとき、前記親骨２３０と掛け突起２３１は、プラスチック射出によって一体に形成できる。
【００４４】
そして、本発明は、前記伸縮支柱１００の外周面に沿って昇降され、前記伸縮支柱１００のある地点で、固定又は解除可能に具備される昇降部材１１０と；一端部が前記昇降部材１１０に放射状に設置され、他端部が前記親骨２３０に設置されて、前記親骨２３０に沿ってスライディングする受骨１２０と；を更に含む。
【００４５】
前記昇降部材１１０は、前記伸縮支柱１００の外周面に沿ってガイドされて昇降できるように、前記伸縮支柱１００の外径より大きい内径を持つリング状に形成されることが望ましく、そのまわりには、前記受骨１２０と結合できるように、一定間隔で第２設置ホーム１１１が形成される。このとき、前記第２設置ホーム１１１は、前記受骨１２０が上部方向に集めたり、外周縁方向に広げたりすることができるように、上部及び外周縁方向に開口される。また、前記受骨１２０は、前記第２設置ホーム１１１で、上部及び外周縁方向に回動できるようにヒンジ結合される。
【００４６】
そして、昇降部材１１０の外径は、後述する巻き部３３０の内径より小さく形成することが望ましい。そうすると、伸縮支柱１００を縮める場合、昇降部材１１０が伸縮支柱１００とともに、巻き部３３０の内部空間３１１ｂに挿入される。
【００４７】
また、前記昇降部材１１０には、前記伸縮支柱１００のある地点で、固定又は解除できるように掛け部材１３０が具備される。
【００４８】
前記掛け部材１３０は、前記昇降部材１１０を貫通して設置される固定ピン１３１と、前記固定ピン１３１に弾性力を提供するスプリング１３３と、で構成される。また、前記固定ピン１３１は、一側端部に前記伸縮支柱１００のある地点、例えば挿入孔１０３にピンの一部が挿入されて固定されるボール部１３１ａが具備され、他側端部に前記ボール部１３１ａを後退させるために、前記ボール部１３１ａと一体に構成される調整部１３１ｂが形成される。そして、前記スプリング１３３は、前記ボール部１３１ａと昇降部材１１０との間に挿入されて、前記ボール部１３１ａを伸縮支柱１００の挿入孔に押す役目をする。前記挿入孔１０３は、前記伸縮支柱１００のある地点で、貫通して形成したり、凹状に形成したりすることが望ましい。もちろん前記掛け部材１３０は、本実施の形態で示したピンタイプに制限されることなく、前記昇降部材１１０を、前記伸縮支柱１００のある地点に、固定又は解除できるのであれば、どんな方法で実施してもかまわない。
【００４９】
そして、前記受骨１２０は、前記親骨２３０を広げている状態を維持できるように支持する役目を持つ。そのため、前記受骨１２０は、前記親骨を広げている状態を維持できる力を持つべきである。前記受骨１２０は、一端部が前記昇降部材１１０の第２設置ホーム１１１で回動できるようにヒンジ結合される。そして、前記受骨１２０の他端部には、前記親骨２３０を挿入できるリング１２１が形成される。その前記リング１２１の内側に、前記親骨２３０が挿入される。そうすると、前記リング１２１は、前記親骨２３０の掛け突起２３１と、親骨２３０と遮蔽シート２２０との接合部位の端部と、の間で自然にスライディングできる。よって、前記親骨２３０と遮蔽シート２２０は、「Ａ」の部分においては相互に接合することなく支持し、「Ｂ」の部分においては接合される接合部を形成して、前記リング１２１のスライディング区域を制限することが望ましい。
【００５０】
手元部材３００は、両端部が連通されて内部に収納空間３１１が形成され、一側の開口部をカバーする上部カバー３１３が具備されるケース３１０と、前記ケース３１０の他側の開口部をねじ結合する下部カバー３２０と、前記下部カバー３２０の一端部に一体に具備されて、前記ケース３１０の収納空間３１１を内部空間３１１ｂと外部空間３１１ａに区切る円筒状の巻き部３３０と、で構成される。
【００５１】
前記下部カバー３２０には、前記巻き部３３０と連通するホール３２１が形成され、前記下部カバー３２０の他端部、望ましくは前記ホール３２１の端部に前記伸縮支柱１００の固定突起１０１がねじ結合される固定ホーム３２３が形成される。本実施の形態では、前記ホール３２１と固定ホーム３２３の内径が異なるように形成したが、これに限定されることなく、前記ホール３２１と固定ホーム３２３の内径を同一に形成することもできる。
【００５２】
前記巻き部３３０は、前記ケース３１０の収納空間３１１を内部空間３１１ｂ及び外部空間３１１ａに区切ることで、前記内部空間３１１ｂには前記伸縮支柱１００を縮めて収納し、前記外部空間３１１ａには前記遮蔽手段２００、即ち親骨２３０と遮蔽シート２２０が巻かれるように収納することができる。従って、前記遮蔽手段２００が前記巻き部３３０の外周縁に巻かれることができるように、巻き部３３０の外周縁には螺旋状のねじ孔３３１及びねじ突起３３３が形成される。
【００５３】
前記ねじ孔３３１は、前記巻き部３３０の外周縁に沿って螺旋状に形成されて、巻き部３３０の内側と外側を貫通する形態であって、前記伸縮支柱１００と支持部材２１０を連結するリンク部材１４０が挿入される際、ガイドできる幅に形成することが望ましい。そうすると、前記伸縮支柱１００を縮める場合、支持部材２１０は、巻き部３３０の内部空間３１１ｂに挿入されないで、リンク部材１４０がねじ孔３３１にガイドされると同時に、巻き部３３０の外周縁に沿って巻かれる。このとき、前記支持部材２１０に連結される親骨２３０及び遮蔽シート２２０が、支持部材２１０と同時に巻き部３３０の外周縁に沿って巻かれて前記外側収納空間３１１に収納される。このとき、前記支持部材２１０、親骨２３０及び遮蔽シート２２０は、前記ねじ突起３３３によって望ましくガイドされながら巻かれることによって、相互に絡み合うことが防止される。
【００５４】
従って、前記ねじ孔３３１は、前記巻き部３３０の上端部で開口される。このとき、前記巻き部３３０の上端部に形成されるねじ孔３３１のまわりには、前記リンク部材１４０がねじ孔３３１に望ましく進入するようにガイド突起（図示せず）を形成できる。また、前記巻き部３３０の上端部に形成されるねじ孔３３１の幅を、上端部側はより広くして、段々細くなるようにし、前記リンク部材１４０がねじ孔３３１に望ましくは進入するようにできる。
【００５５】
次に、前述のように構成される本発明による携帯可能なコンパクト傘の作動を説明する。
【００５６】
図７又は図８は、本発明による携帯可能なコンパクト傘の保管のときの作動状態を表す状態図である。
【００５７】
先ず、本発明による携帯可能なコンパクト傘を使う場合について、図３を参照して説明する。
【００５８】
傘を使おうとする場合、伸縮支柱１００を最大に伸ばして、固定突起１０１を固定ホーム３２３に固定させることによって、伸縮支柱１００を手元部材３００に固定させる。そして、昇降部材１１０を下降させ、固定ピン１３１を利用して前記昇降部材１１０を伸縮支柱１００に固定させる。そうすると、受骨１２０が一体に下降することにより、リング１２１が親骨２３０に沿って、「Ａ」領域でスライディングしながら親骨２３０を広げる。親骨２３０が広がると、それと同時に遮蔽シート２２０も広がるようになる。
【００５９】
このように、遮蔽シート２２０を広げて傘を使ってから、保管しようとするときには、図６に示すように、固定ピン１３１をから分離させ、昇降部材１１０を上昇させながら親骨２３０を集める。そうすると、受骨１２０も、親骨２３０が集められると同時に集まる。このとき、受骨１２０のリング１２１は、親骨２３０に沿ってガイドされながらスライディングするので、円滑に親骨２３０及び受骨１２０を集めることができる。このとき、遮蔽シート２２０も前記親骨２３０と同時に集められる。
【００６０】
このように、親骨２３０、受骨１２０及び遮蔽シート２２０を伸縮支柱１００と一直線に集めたら、伸縮支柱１００の下端部に具備された固定突起１０１を下方に引っぱる。そうすると、図７に示すように、伸縮支柱１００は巻き部３３０を通過して下方に進行し、伸縮支柱１００の上端部に具備される支持部材２１０は、巻き部３３０の上端部を通過できないので、支持部材２１０と伸縮支柱１００を連結しているリンク部材１４０が曲がりながら、ねじ孔３３１にスライディングして挿入される。この状態から、更に伸縮支柱１００を引っぱると、リンク部材１４０がねじ孔３３１に沿って回転されながら下降し、これと同時に、支持部材２１０、親骨２３０及び遮蔽シート２２０が巻き部３３０の外周縁に巻かれるようになる。このとき、前記支持部材２１０、親骨２３０及び遮蔽シート２２０は、巻き部３３０の外周縁に形成されるねじ突起３３３に沿って、相互に絡み合うことなく外部空間３１１ａに収納される。
【００６１】
このとき、昇降部材１１０は、巻き部３３０の上端部を通過して伸縮支柱１００とともに巻き部３３０の内部空間３１１ｂに進入される。そうすると、昇降部材１１０とともに受骨１２０も、巻き部３３０の内部空間３１１ｂに進入される。このとき、受骨１２０の端部に具備されたリング１２１が、親骨２３０に沿って「Ａ」領域でスライディングしながら上昇して、親骨２３０が巻き部３３０の外周縁に巻かれる動作を邪魔しなくなる。
【００６２】
更に、伸縮支柱１００を最大に引っぱると、親骨２３０の掛け突起２３１は巻き部３３０の上端部に達し、受骨１２０のリングは前記掛け突起２３１に引っ掛かってそれ以上はスライディングしなくなり、受骨１２０が親骨２３０から分離するのを防止する。
【００６３】
このように、親骨２３０及び遮蔽シート２２０を外部空間３１１ａに収納することが完了されると、図８に示すように、伸縮支柱１００を縮めて内部空間３１１ｂに収納してから上部カバー３１３を閉めて、固定突起１０１を固定ホーム３２３に固定させる。
【００６４】
一方、図３のように、また傘を広げて使おうとするときには、上部カバー３１３を開けて、固定突起１０１を固定ホーム３２３から分離させる。そして、掛け突起２３１を引っぱると、伸縮支柱１００が伸びるようになり、昇降部材１１０を伸縮支柱１００に沿って下降させてから伸縮支柱１００に固定させることで、親骨２３０及び遮蔽シート２２０を広げて使用する。
【００６５】
次に、本発明による他の実施の形態を、図面を参照して説明する。
【００６６】
図９は、本発明の他の実施の形態による携帯可能なコンパクト傘の外見を概略的に表す図面であり、図１０及び図１１は、本発明の他の実施の形態による携帯可能なコンパクト傘の構成及び作動を表す断面図である。
【００６７】
図面に示すように、本発明の他の実施の形態による携帯可能なコンパクト傘は、大きくわけて、外部支柱４００、加圧部材５００、伸縮支柱１００、遮蔽手段２００Ａ、調整部材６００及び手元部材３００Ａから構成される。
【００６８】
外部支柱４００は、伸ばしたり縮めたりすることができるロットアンテナのように、長さを可変できる手段であって、その一方には加圧部材５００が具備され、他方には前記手元部材３００Ａが具備され、前記外部支柱４００の他方は前記手元部材３００Ａに収容されて固定される。
【００６９】
前記加圧部材５００は、前記外部支柱４００の上端部に設置されて、前記外部支柱４００を縮めるときに前記外部支柱４００を加圧する手段であって、前記遮蔽手段２００Ａ、即ち、後述する支持部材２４０に連結された遮蔽シート２２０と親骨２３０が通過できるように、その中心に第１貫通孔５０１が形成されたリング状の円形プレートである。
【００７０】
伸縮支柱１００は、前記外部支柱４００と同じく、伸ばしたり縮めたりすることができるロットアンテナのように、長さを可変できる手段であって、前記外部支柱４００の内部に具備される。そして、その一方には遮蔽手段２００Ａが具備され、他方には固定突起１０１が具備される。前記伸縮支柱１００及び固定突起１０１は、前述された実施の形態と同じ構成であるので、重複する説明は省略する。
【００７１】
遮蔽手段２００Ａは支持部材２４０、遮蔽シート２２０及び親骨２３０を含み、前記親骨２３０と伸縮支柱１００との間はリンク部材１４０で連結される。前記支持部材２４０、遮蔽シート２２０、親骨２３０及びリンク部材１４０の構成も、前述された実施の形態と同じ構成であるので、重複する説明は省略する。
【００７２】
しかし、前記支持部材２４０の外周縁には、前記調整部材６００がねじ結合できるように螺旋状の溝が形成される。
【００７３】
調整部材６００は、図１２ないし図１４に示すように、前記支持部材２４０にねじ結合されて昇降可能に設置され、下部調整部材６１０及び上部調整部材６２０からなる。
【００７４】
前記下部調整部材６１０は、前記支持部材２４０の外周縁にねじ結合されて昇降可能に設置され、前記親骨２３０を収容できるように前記親骨２３０と対応する位置に下部ホーム６１１が形成される。
【００７５】
前記上部調整部材６２０は、前記支持部材２４０の外周縁にねじ結合されて昇降可能に設置され、前記親骨２３０が上部方向で集まるときに、前記親骨２３０ができるように前記親骨２３０と対応する位置に上部ホーム６２１が形成される。
【００７６】
また、前記親骨２３０の端部に形成される掛け突起２３１は前記親骨２３０の断面積より広く形成されて、前記外部支柱４００を縮めるときに前記加圧部材５００の前記第１貫通孔５０１に引っ掛かって、前記加圧部材５００の上部に突出されるように形成することが望ましい。このとき、前記掛け突起２３１は、前記加圧部材５００の第１貫通孔５０１に引っ掛かるようにリング形態、又は段差を持つ形態など、多様に形成できる。
【００７７】
手元部材３００Ａは両端部が連通され、一側の開口部をカバーする上部カバー３１３が具備されるケース３５０と、前記ケース３５０の他側の開口部にねじ結合する下部カバー３２０と、前記収納空間３５１を上部空間３５１ａ及び下部空間３５１ｂに区切る区画部３５３と、前記下部カバー３２０の一端部に一体に具備されて、前記下部空間３５１ｂを内部空間３５１ｃ及び外部空間３５１ｄに区切る円筒状の巻き部３３０と、を含んで構成される。
【００７８】
前記下部カバー３２０及び巻き部３３０は、前述された実施の形態と同じ構成であるので、重複する説明は省略する。
【００７９】
しかし、前記ケース３５０の上部空間３５１ａには、前記区画部３５３から一体に延長されて、スプリング部材４１０を収容すると同時に、前記伸縮支柱１００、支持部材２４０及び調整部材６００が通過できるように、第２貫通孔３５５ａが形成された収容部３５５が具備される。つまり、前記第１貫通孔５０１、ケース３５０上端部、第２貫通孔３５５ａ及び巻き部３３０の内側、即ち、内部空間３５１ｄは、前記伸縮支柱１００が通過できるように連通される。
【００８０】
前記スプリング部材４１０は、一側部が前記加圧部材５００に固定され、他側部が前記収容部３５５の外周面に配置されて前記外部支柱４００の内部に設置され、前記外部支柱４００を前記手元部材３００Ａから外側に弾くような弾性力を提供する手段である。
【００８１】
そして、前記ケース３５０の上部には、前記加圧部材５００が前記スプリング部材４１０によって弾かれることを防止する掛け装置３６０が具備される。
【００８２】
前記掛け装置３６０は、前記加圧部材５００の上面を押して保持するボール部３６１と、前記ボール部３６１を前記支持部材２４０の方向に押すスプリング３６３と、前記ボール部３６１を後退させるために前記ボール部３６１と連結される調整部３６５と、を含む。
【００８３】
しかし、このような掛け装置３６０は、加圧部材５００を固定したり、固定を解除したりすることが可能であれば、前述の構造に限定されることはない。
【００８４】
そして、図面符号２５０は、前記親骨２３０上部に設置された遮蔽シート２２０を固定、保持するために、前記支持部材２４０上面の中央に設置される固定部材であって、この固定部材２５０に固定される遮蔽シート２２０は、図１５に示すように、親骨２３０の一側部からも固定、保持される。このとき、親骨２３０と遮蔽シート２２０との固定、保持方法はいろいろな方法があり、図１５に示すように、テープ２６０によるテーピング接着以外にも、ポンディング接着、又は、熱接着など、様々な方法によって実施できる。
【００８５】
次に、前述のように構成される本発明の他の実施の形態による携帯可能なコンパクト傘の作動を説明する。
【００８６】
傘を保管しようとするときには、親骨２３０を上方に集めるために、下部調整部材６１０及び上部調整部材６２０を回転させて、下部ホーム６１１及び上部ホーム６２１を親骨２３０が配置された地点に位置させた後、親骨２３０を上部方向に回動させて集める。
【００８７】
このように、親骨２３０が集まったら、手元部材３００Ａの下端部に突出された伸縮支柱１００を引っぱる。そうすると、伸縮支柱１００は、加圧部材５００の第１貫通孔５０１、収容部３５５の第２貫通孔３５５ａ及び巻き部３３０を通過して下方に進行し、伸縮支柱１００の上端部に具備される支持部材２４０は、巻き部３３０の上端部を通過できないので、支持部材２４０と伸縮支柱１００を連結するリンク部材１４０が曲がりながら、ねじ孔３３１にスライディングして挿入される。この状態から、更に伸縮支柱１００を引っぱると、リンク部材１４０がねじ孔３３１に沿って回転されながら下降し、これと同時に、支持部材２４０、親骨２３０及び遮蔽シート２２０が巻き部３３０の外周縁に巻かれるようになる。このとき、前記支持部材２４０、親骨２３０及び遮蔽シート２２０は、巻き部３３０の外周縁に形成されるねじ突起３３３に沿って、相互に絡み合うことなく外部空間３５１ｃに収納される。
【００８８】
されに、伸縮支柱１００を最大に引っぱると、親骨２３０の掛け突起２３１は加圧部材の第１貫通孔５０１に達し、第１貫通孔５０１を通過することのできない掛け突起２３１は、加圧部材５００とともに手元部材３００Ａの上部空間３５１ａに収容される。このとき、外部支柱４００は縮まり、スプリング部材４１０は圧縮されて上部空間３５１ａに収納され、加圧部材５００は掛け装置３６０により固定される。
【００８９】
このように、外部支柱４００を上部空間３５１ａに収納し、親骨２３０及び遮蔽シート２２０を外部空間３５１ｃに収納することが完了されると、伸縮支柱１００を縮めて内部空間３５１ｄに収納させた状態で、上部カバー３１３を閉めて、固定突起１０１を固定ホーム３２３に固定する。
【００９０】
一方、傘を広げて使おうとするときには、上部カバー３１３を開けて、固定突起１０１を固定ホーム３２３から分離させる。そして、掛け装置３６０による加圧部材５００の固定を解除させると、加圧されているスプリング部材４１０が支持部材２４０を弾いて上部に押し上げることになる。
【００９１】
このとき、前記加圧部材５００の上面に掛け突起２３１も押しあげられて親骨２３０が広がるようになり、親骨２３０が広がりながら遮蔽シート２２０も広がる。その後、上部調整部材６２０を回転させて、下部調整部材６１０の下部ホーム６１１と上部調整部材６２０の上部ホーム６２１が、相互にずれるようにすることで、親骨２３０を下部調整部材６１０の下部ホーム６１１に収容すると同時に、上部調整部材６２０の下部面に密着させて親骨２３０を固定する。
【図１】
2010517615.tif 000003
【図２】
2010517615.tif 000004
【図３】
2010517615.tif 000005
【図４】
2010517615.tif 000006
【図５】
2010517615.tif 000007
【図６】
2010517615.tif 000008
【図７】
2010517615.tif 000009
【図８】
2010517615.tif 000010
【図９】
2010517615.tif 000011
【図１０】
2010517615.tif 000012
【図１１】
2010517615.tif 000013
【図１２】
2010517615.tif 000014
【図１３】
2010517615.tif 000015
【図１４】
2010517615.tif 000016
【図１５】
2010517615.tif 000017
【国際調査報告】
2010517615.tif 000018
2010517615.tif 000019